(57)【要約】【課題】衝撃や振動に対して折れにくい程度の硬さを有しつつ肌当たりの良いアイライナーを提供する。【解決手段】アイライナー（１）は、棒状に形成された化粧料の芯材（２）と、芯材（２）を収容し、軸方向端部に設けられる開口部（５０）から芯材（２）を繰り出し可能な容器本体（３）と、容器本体（３）の開口部（５０）を覆う蓋体（４）とを備え、芯材（２）は、軸方向に対して直交する垂直断面の形状が楕円形であり、楕円形の長径は、２．５ｍｍ以上３．５ｍｍ以下であり、楕円形の短径は、１．３ｍｍ以上１．９ｍｍ以下であり、芯材（２）の折損強度は、１１．５ｇ以上２０ｇ以下である。【選択図】図１
0003206083.tif 000002
【実用新案登録請求の範囲】
【請求項１】
棒状に形成された化粧料の芯材と、
前記芯材を収容し、軸方向端部に設けられる開口部から前記芯材を繰り出し可能な容器本体と、
前記容器本体の前記開口部を覆う蓋体とを備え、
前記芯材は、軸方向に対して直交する垂直断面の形状が楕円形であり、前記楕円形の長径は、２．５ｍｍ以上３．５ｍｍ以下であり、前記楕円形の短径は、１．３ｍｍ以上１．９ｍｍ以下であり、前記芯材の折損強度は、１１．５ｇ以上２０ｇ以下である、アイライナー。
【請求項２】
前記楕円形の短径は、１．３ｍｍ以上１．５ｍｍ以下であり、折損強度は、１３．０ｇ以上１８．５ｇ以下である、請求項１に記載のアイライナー。
【考案の詳細な説明】
【技術分野】
【０００１】
この考案は、アイライナーに関し、特に繰り出し式のアイライナーに関する。
【背景技術】
【０００２】
一般的に、アイライナーとして、キャップを有するものとキャップを有さないものとが知られている。肌当りのよいアイライナーを提供するためには、化粧料の芯材を柔らかくする必要があるところ、そのような芯材は、揮発性成分を含むことが多い。そのため、肌当たりの良い芯材を有するアイライナーは、芯材の気密性を保つために、キャップを有することが知られている。
【０００３】
また、従来から、１本のアイライナーで細い線と太い線を描くことを可能とするために、棒状化粧材の垂直断面を楕円形形状とすることが知られている。さらに、棒状化粧材を削る手間を省くために、繰り出し式の棒状化粧材が知られている。このような棒状化粧材繰出容器として、特開２００１−２１８６２１号公報（特許文献１）が提案されている。
【０００４】
特許文献１には、楕円断面の棒状化粧材を有し、先筒と容器本体とを相対回動させることにより、棒状化粧材を先筒に沿って繰り出すことが可能な棒状化粧材繰出容器が開示されている。
【先行技術文献】
【特許文献】
【０００５】
【特許文献１】特開２００１−２１８６２１号公報
【考案の概要】
【考案が解決しようとする課題】
【０００６】
特許文献１の棒状化粧材繰出容器は、棒状化粧材が爪片により下方位置だけで固定されており、さらに、棒状化粧材と先筒との間には空隙が形成されている。これにより、特許文献１の棒状化粧材は、衝撃や振動に対して折れやすく、誤って落下させた場合、棒状化粧材が折れてしまうという問題があった。
【０００７】
容器を落下させた場合、棒状化粧材を破損させたくないならば、棒状化粧材を硬くすればよい。しかし、単に棒状化粧材を硬くすると、肌当たりが悪くなり、痛くてアイラインを引くことができない可能性がある。
【０００８】
そこで、本考案は、上記のような課題を解決するためになされたものであって、その目的は、衝撃や振動に対して折れにくい程度の硬さを有しつつ肌当たりの良いアイライナーを提供することである。
【課題を解決するための手段】
【０００９】
この考案に係る棒状化粧具は、棒状に形成された化粧料の芯材と、芯材を収容し、軸方向端部に設けられる開口部から芯材を繰り出し可能な容器本体と、容器本体の開口部を覆う蓋体とを備え、芯材は、軸方向に対して直交する垂直断面の形状が楕円形であり、楕円形の長径は、２．５ｍｍ以上３．５ｍｍ以下であり、楕円形の短径は、１．３ｍｍ以上１．９ｍｍ以下であり、芯材の折損強度は、１１．５ｇ以上２０ｇ以下である。
【００１０】
好ましくは、楕円形の短径は、１．３ｍｍ以上１．５ｍｍ以下であり、折損強度は、１３．０ｇ以上１８．５ｇ以下である。
【考案の効果】
【００１１】
本考案によれば、衝撃や振動に対して折れにくい程度の硬さを有しつつ肌当たりの良いアイライナーを提供することができる。
【図面の簡単な説明】
【００１２】
【図１】本考案の実施の形態に係るアイライナーを示す正面から見た縦断面図である。
【図２】蓋体を外した状態を示す側面から見た縦断面図である。
【図３】芯材を繰り出した状態を示す側面から見た縦断面図である。
【図４】図２のＩＶ−ＩＶ線に沿う横断面図である。
【図５】芯材を保持した芯材保持体を抽出して示す側面図である。
【図６】実験治具を模式的に示す図である。
【考案を実施するための形態】
【００１３】
本考案の実施の形態について図面を参照しながら詳細に説明する。なお、図中同一または相当部分には同一符号を付してその説明は繰返さない。
【００１４】
＜アイライナーについて＞
図１〜５を参照して、本実施の形態に係るアイライナー１の実施形態について説明する。図１は、本考案の実施の形態に係るアイライナー１を示す正面から見た縦断面図であり、図２は、蓋体４を外した状態を示す側面から見た縦断面図であり、図３は、芯材２を繰り出した状態を示す側面から見た縦断面図であり、図４は、図２のＩＶ−ＩＶ線に沿う断面図であり、図５は、芯材２を保持した芯材保持体７を抽出して示す側面図である。本実施の形態において、図１において矢印Ａ１で示す軸方向を上下方向という。
【００１５】
本実施形態のアイライナー１は、棒状に形成された化粧料の芯材２と、芯材２を収容し、軸方向端部に設けられる開口部５０から芯材２を繰り出し可能な容器本体３と、容器本体３の開口部５０を覆う蓋体４とを備える。
【００１６】
図４を特に参照して、芯材２は、軸方向に対して直交する垂直断面の形状が楕円形であり、長手方向に沿って延びる棒状の部材である。芯材２は、たとえば、炭化水素系のポリエチレンワックス、植物成分のキャンデリラワックス、色素成分の酸化鉄、オイルおよび樹脂を含有する。
【００１７】
容器本体３は、たとえば、芯筒５と、外筒６と、芯材２を下方から保持する芯材保持体７とを含む。容器本体３は、芯筒５と外筒６とを相対回動させることにより、芯材保持体７が上下方向に移動し、芯材２を開口部５０から繰り出すことが可能である。
【００１８】
芯筒５は、たとえば、円筒形状であり、芯材２を外方から覆う芯筒本体５１と、外筒６への連結部分となる連結部５２とを有する。芯筒本体５１内の貫通孔５３には、芯材２が上下方向に移動可能に配置される。これにより、芯材２は、貫通孔５３の開口部５０から繰り出し可能である。連結部５２は、外筒６内に回動可能に嵌着される。図４に示すように、貫通孔５３の内周面には、４本の溝５４が長手方向に延びて形成されている。これらの溝５４内には、後述する、芯材保持体７の上端部に形成された４本の爪片７１が挿入される。
【００１９】
外筒６は、たとえば、有底の円筒形状である。外筒６は、芯材保持体７を収納する外筒本体６１と、芯筒５の連結部５２と連結する連結部６２とを有する。外筒本体６１内の貫通孔６３の上方には、回り駒８が配置されている。回り駒８は、筒状の部材であり、外筒６の回動に伴って回動する部材である。回り駒８の上方端には、芯材保持体７と係合するリブ８１が全周に沿って設けられている。
【００２０】
連結部６２の外周には、溝が設けられ、その溝にＯリング６４が収納される。蓋体４は芯筒５全体を収納するキャップであり、蓋体４内に芯筒５を収納すると、蓋体４の内周面と外筒６の外周面に配置されるＯリング６４とが圧接される。これにより、蓋体４を閉めることで、芯筒５内部を密封した空間にすることができる。
【００２１】
特に図５を参照して、芯材保持体７は、たとえば、溝が螺旋状に設けられている螺子部７０と、芯材２を支持する４つの爪片７１とを備える。螺子部７０には、上述した回り駒８のリブ８１が嵌合する。これにより、外筒６を回動させることに伴って、回り駒８も同方向に回動し、芯材２は開口部５０より繰り出される。爪片７１は、芯材２の外周を保持することにより、芯材２を下方から支持する。
【００２２】
上述したように、芯材２は、軸方向に対して直交する垂直断面の形状が楕円形である。
これにより、長径部分を用いてアイラインの全体を描くことができるとともに、短径部分を用いて細かな部分を描くことができる。特に、短径部分では、目尻を描く場合に適している。
【００２３】
次に、芯材２の最適な楕円形の長径および短径について検討すべく、比較実験を行った。
【００２４】
＜最適な楕円形の長径および短径について＞
楕円形の形状についての評価は、長径部分および短径部分それぞれについて、紙にラインを描き、専門パネラーがそのラインを目視することで評価を行った。
【００２５】
まず、長径部分については、目の中央部分を描くのに適した太さについて評価を行った。以下の表１において、「◎」は、最適であると判断したものを示し、「○」は、適正であると判断したものを示し、「△」はやや太いまたはやや細いと判断したものを示し、「×」は太すぎると判断したものを示す。
【００２６】
【表１】
0003206083.tif 000003
【００２７】
上述したように、長径部分は、アイライン全体を描くのに使用する。表１を参照して、長径が２．０ｍｍ以下であるとアイラインが細すぎであり、長径が４．０ｍｍ以上であるとアイラインが太くなり過ぎるため、アイライン全体を描くのに適さない。したがって、楕円形の長径は、２．５ｍｍ以上３．５ｍｍ以下であることが望ましいことが分かった。
【００２８】
次に、短径部分については、目尻を描くのに適した太さについて評価を行った。以下の表２において、「◎」は、最適であると判断したものを示し、「○」は、適正であると判断したものを示し、「△」はやや太いと判断したものを示し、「×」は太すぎると判断したものを示す。
【００２９】
【表２】
0003206083.tif 000004
【００３０】
上述したように、短径部分は、目尻を描くのに使用する。目尻を描くためには、目尻のはねを描くことが求められるため、細ければ細いほど好ましい。しかし、あまりに短径が細すぎると、落下させた場合などに折れてしまうおそれがある。すなわち、短径が１．１ｍｍ以下の場合は、落下させた場合などに折れてしまうおそれがある。そこで、落下させた場合などに折れにくい太さで、目尻を描くのに好ましい短径は、１．３ｍｍ以上であることが分かった。さらに、短径が２．０ｍｍ以上であるとアイラインが太くなりすぎるため、目尻を描くのに適さない。したがって、落下させた場合などに折れにくい太さで、目尻を描くのに好ましい楕円形の短径は、１．３ｍｍ以上１．９ｍｍ以下であり、さらに好ましくは、１．３ｍｍ以上１．５ｍｍ以下であることが望ましいことが分かった。
【００３１】
以上より、最適な芯材２は、楕円形の長径が、２．５ｍｍ以上３．５ｍｍ以下であり、楕円形の短径が、１．３ｍｍ以上１．９ｍｍ以下である。さらに望ましくは、楕円形の短径は、１．３ｍｍ以上１．５ｍｍ以下である。
【００３２】
次に、芯材２の最適な折損強度について検討すべく、比較実験を行った。
【００３３】
＜折損強度について＞
比較実験の説明に先立ち、芯材２の折損強度について説明する。図６は、折損強度を計測する際に使用した実験治具１００を示す模式的に示す図である。実験治具１００として、ＦＵＤＯＨレオメータＲＴＣ−３００２Ｄを用いた。実験治具１００は、上方に固定された押棒１０１と、上下移動可能な土台１０２と、土台１０２上に設けられる一対の支柱１０３とを備える。一対の支柱１０３間の距離は２ｃｍである。
【００３４】
模擬芯材２０の楕円形の長径が上下になるように、一対の支柱１０３上に模擬芯材２０を架け渡すように載置させた。さらに、模擬芯材２０が載置された土台１０２を２ｃｍ／秒で上方へ移動させ、模擬芯材２０が押棒１０１に接触して折れる際に、模擬芯材２０にかかる力を折損強度として測定した。この場合、模擬芯材２０は、短径が１．５ｍｍ、長径が３．０ｍｍの楕円形形状であるものを用いた。さらに、模擬芯材２０は、軸方向長さが２．５ｃｍ、２５℃で３時間以上静止させたものを使用した。以下の比較実験において、模擬芯材２０の折損強度が８．０ｇ〜３２．５ｇのものを２６種類用いた。
【００３５】
落下時の折れの評価は、コンクリートおよびタイルに対して１本の模擬アイライナーを垂直に１０回、自然落下させた場合の判定である。模擬アイライナーは、模擬芯材２０を芯筒５内に完全に収納させた状態で落下させた。以下の表３において、「○」は、１０回自然落下させても折損がないことを示し、「△」は、１０回自然落下させるまでに１回は折損があることを示し、「×」は、５回自然落下させるまでに１回は折損があることを示す。
【００３６】
肌当たりの評価は、専用パネラーが模擬アイライナーを瞼に使用した場合の肌当たりを評価したものである。以下の表３において、「○」は、肌当たりが柔らかいことを示し、「△」は、肌当たりがやや痛いと感じるが問題ないことを示し、「×」は、肌当たりが硬くて痛いと感じ問題がある場合を示す。
【００３７】
【表３】
0003206083.tif 000005
【００３８】
表３を参照して、落下時の折れを考慮すると、折損強度が１１．５ｇ以上、好ましくは１３．０ｇ以上のものは、１０回自然落下させても折損がないことが分かった。肌当たりを考慮すると、折損強度が２０．０ｇ以下、好ましくは１８．５ｇ以下のものは、肌当たりが柔らかいことが分かった。したがって、折損強度が１１．５ｇ以上２０．０ｇ以下、より好ましくは１３．０ｇ以上１８．５ｇ以下では、衝撃や振動に対して折れにくい程度の硬さを有しつつ、肌当たりの良いアイライナーとなることが分かった。
【００３９】
なお、上記実施の形態では、蓋体４は、芯筒５を覆うキャップであるとして説明したが、上記実施の形態に限定されるものではない。すなわち、蓋体４は、少なくとも容器本体３の開口部５０のみを覆うものであればよい。
【００４０】
以上、図面を参照してこの考案の実施形態を説明したが、この考案は、図示する実施形態のものに限定されない。図示された実施形態に対して、この考案と同一の範囲内において、あるいは均等の範囲内において、種々の修正や変形を加えることが可能である。
【符号の説明】
【００４１】
１  アイライナー、２  芯材、３  容器本体、４  蓋体、５  芯筒、６  外筒、７  芯材保持体、８  回り駒、２０  模擬芯材、５０  開口部、５１  芯筒本体、５２  連結部、５３  貫通孔、５４  溝、６１  外筒本体、６２  連結部、６３  貫通孔、６４  Ｏリング、７０  螺子部、７１  爪片、８１  リブ、１００  実験治具、１０１  押棒、１０２  土台、１０３  支柱。
【図１】
0003206083.tif 000006
【図２】
0003206083.tif 000007
【図３】
0003206083.tif 000008
【図４】
0003206083.tif 000009
【図５】
0003206083.tif 000010
【図６】
0003206083.tif 000011